(57)【要約】      （修正有）【課題】トラックの荷台に搭載されるジブクレーンのブームの先端部に取付けられて、荷材の上げ下ろしや除雪などに広く対応できるジブクレーン用荷役具を提供する。【解決手段】底板１aに平面視コ形の周壁板１bを立設し、上方と前方を開口したバケット１と、バケット１の前後方向の重心位置より前方で周壁板１bの両側方の外面に回動自在に接合される門形の回動吊り金具２と、周壁板１bの後方中央に接合される固定吊り金具３と、回動吊り金具２の両上隅に係着される各ワイヤー９と、トラック６の荷台７に搭載されたジブクレーン４のブーム４aの先端部に接合され、前記各ワイヤー９を吊下する吊下具５とから成る。【選択図】図２
0003126037.tif 000002
【実用新案登録請求の範囲】
【請求項１】
底板に平面視コ形の周壁板を立設して上方と前方を開口したバケットと、該バケットの周壁板の両側方外面にバケットの前後方向の重心位置を挟む何れか一点の位置で回動自在に接合される門形の回動吊り金具と、該回動吊り金具に対向して周壁板の他方に接合される固定吊り金具と、回動吊り金具の両上隅に係着される各ワイヤーと、トラックの荷台に搭載されたジブクレーンのブームの先端部に接合され、前記各ワイヤーを吊下する吊下具とから成るジブクレーン用荷役具。
【請求項２】
前記吊下具が、ジブクレーンのブームの先端部に接合される接合体と、該接合体に垂直回転軸を中心に回動自在に軸支される吊下体と、両者の位相を位置決めする位置決め手段とから成る請求項１記載のジブクレーン用荷役具。
【考案の詳細な説明】
【技術分野】
【０００１】
本考案は、トラックの荷台に搭載されるジブクレーンによって荷材の上げ下ろしや除雪等に供される荷役技術に関する。
【背景技術】
【０００２】
トラックの荷台に搭載されるジブクレーンを介して荷役や除雪等に供される荷役技術として特開平１１−１０５６１４号公報（特許文献１）に、トラック用クレーン１のアーム体２の先端部にＬ字形のアタッチメント３を取付け、アタッチメント３の荷受け台５に荷材Ｗを載置して高所の目的の位置に運ぶことのできるトラック用クレーンが開示されている。また、クレーン付きトラックによって除雪した雪を所定の雪捨場に搬送し捨てる技術が特開平１１−２９１８０４号公報（特許文献２）に開示されている。さらに、多機能を有する軽トラックが実用新案登録第３０７５９６７号（特許文献３）に開示されている。このものはクレーン装置のアーム１の先端に作業台２を取付けて高所の作業に供されたり、高所から農薬の散布に供される。
上記特許文献のうち、特許文献１及び３に開示された技術は、荷受け台や作業台がクレーンのブームに対して固定的に取付けられるので用途の自由度が狭い。特許文献２に開示された技術は、ジブクレーン４の先端に吊りワイヤー４´を介して排雪枠１１を吊下したため排雪枠１１の姿勢制御ができない。
【特許文献１】特開平１１−１０５６１４号公報
【特許文献２】特開平１１−２９１８０４号公報
【特許文献３】実用新案登録第３０７５９６７号
【考案の開示】
【考案が解決しようとする課題】
【０００３】
本考案は、トラックの荷台に搭載されるジブクレーンのブームの先端部に取付けられて、荷材の上げ下ろしや除雪などに広く対応できるジブクレーン用荷役具を提供しようとする。
【課題を解決するための手段】
【０００４】
上記課題を達成するための請求項１記載のジブクレーン用荷役具は、
底板に平面視コ形の周壁板を立設し、上方と前方を開口したバケットと、該バケットの前後方向の重心位置を挟んで何れか一方の周壁板の両側方外面に回動自在に接合される門形の回動吊り金具と、該回動吊り金具に対向して周壁板の他方に接合される固定吊り金具と、回動吊り金具の両上隅に係着される各ワイヤーと、トラックの荷台に搭載されたジブクレーンのブームの先端部に接合され、前記各ワイヤーを吊下する吊下具とから成る。
また、請求項２に記載した考案は、請求項１記載のジブクレーン用荷役具において、
前記吊下具が、ジブクレーンのブームの先端部に接合される接合体と、該接合体に垂直回転軸を中心に回動自在に軸支される吊下体と、両者の位相を位置決めする位置決め手段とから成る。
【考案の効果】
【０００５】
本考案の請求項１に記載したジブクレーン用荷役具によれば、バケットは回動吊り金具と固定吊り金具とによってワイヤーを介して水平に保持されたり、前傾状態に姿勢制御されるから、荷材の上げ下ろしから、屋根の雪下ろしや工場敷地内や路面などの除雪まで広く対応できる。
また、請求項２記載の吊下具によれば、ジブクレーンのブームにバケットの前方、すなわち、荷材の出入面（開口面）を垂直回転軸を中心として回動できるから、トラックの移動を最小限にして、ブームの旋回と各ワイヤーの捩れ等と協働して荷材の上げ下ろし方向に広範な自由度で対応できる効果がある。
【考案を実施するための最良の形態】
【０００６】
本考案のジブクレーン用荷役具における回動吊り金具は、ワイヤー掛け金を一体に接合するものから、回動自在に係合するものまで選択され、固定吊り金具は、周壁板の前方両側方や中央の上部や外面などに接合される。また、吊下具における位置決め手段は、接合体に対して任意の位相で吊下体を位置決めできるように、接合体に貫通して螺設された押しボルトの押し込み摩擦力によるものから、両者に均等分割点で貫設した係合孔と、該係合孔に係合する係合ピンとから成るものなどである。
【実施例】
【０００７】
本考案のジブクレーン用荷役具Ａを実施例により説明すると、図１に示すように、横長（幅方向長尺）矩形状の底板１aに平面視コ形の所要高さの周壁板１bを一体に立設して上方と前方を開口したバケット１を形成し、バケット１の前後方向の重心位置より前方で周壁板１bの両側方の外面には、角パイプ２aで門形に形成した回動吊り金具２を、その下端の平板部２bにおいてボルトナットで回動自在に接合し、回動吊り金具２の両上隅には、それぞれ逆Ｕ状のワイヤー掛け金２cをその折曲部２dを突出して接合し、周壁板１bの後方中央外面には逆Ｕ状の固定吊り金具３を接合して成る。ジブクレーン４のブーム４aの先端部に接合される吊下具５は、図１に示すように、逆Ｕ状で両側壁にボルト孔５aを貫設した接合金具５bの下端に渡し金５cを一体に接合するとともに、両側壁から渡し金５cにかけて各補強金５dを接合し、補強金５dにはＵ状のワイヤー掛け金５eをその折曲部５fを突出して接合して成る。
【０００８】
このようにして成るジブクレーン用荷役具Ａは、図２に示すように、トラック６の荷台７に搭載されたジブクレーン４のブーム４aの先端部に吊下具５が、その両側壁のボルト孔５aに挿通されたボルトを介して接合され、吊下具５の各補強金５dに接合されたワイヤー掛け金５eの各折曲部５fにはシャックル８を介して各ワイヤー９の一端が係合され、各ワイヤー９の他端はバケット１の回動吊り金具２の各ワイヤー掛け金２cの各折曲部２dにシャックル８を介して係合され、バケット１の後方の固定吊り金具３にはジブクレーン４のブーム４aの先端部からワイヤー１０で吊下されるシーブ体１１に、垂直軸を中心に回動自在に軸支されたフック１２が係止される。
したがって、シーブ体１１を上下することによって荷材の載荷状態でバケット１の前方を下げたり、上げたりしてバケット１の姿勢を制御するものである。
これを除雪の例で説明すると、工場敷地内や路面の雪は、スコップやスノーダンプ等でバケット１に投入されるが、その状態でジブクレーン４を操作してブーム４aを持ち上げると、回動吊り金具２はバケット１の前後方向の重心位置より前方で周壁板１bの両側方外面に回動自在に軸支されるから、前方がはね上がり後方が下がった状態となるため、シーブ体１１に巻き回されるワイヤー１０を巻き上げてバケット１を水平状態に保ち、排雪用のトラック（図外）の荷台にブーム４aを旋回してバケット１を向け、シーブ体１１を持ち上げるとバケット１はその前方が下がり、バケット１に盛られた雪は荷台７に落下し、これらの一連の操作によって除雪が行なわれる。
【０００９】
次に、本考案のジブクレーン用荷役具Ａにおける吊下具の実施態様について説明すると、吊下具Ｂは図３に示すように、逆Ｕ状で両側壁にボルト孔１３aを貫設した接合金具１３bの下端に外郭円形の渡し金１３cが接合された接合体１３と、接合体１３の下面で外郭が渡し金１３cと同形状の回転盤１４aが中心の垂直回転軸１４bに回動自在に軸支され、回転盤１４aの下面に180°の対向位置に脚１４cが一体に垂下され、各脚１４cにはＵ状のワイヤー掛け金１４dがその折曲部１４eを突出して接合されてなる吊下体１４とから成り、両者には位相の位置決め手段として、同一位相で均等四分割位置に係合孔１５が貫設され、係合孔１５には逆Ｕ状の係合ピン１６の一方が係合される。
このほか、接合体１３に対する吊下体１４の位置決め手段としては、前記の特定の位相関係を保持する以外に、相互に任意の位相で位置決めできるように、接合体１３の渡し金１３cに貫通して螺設した押しボルト（図外）のネジ軸端によって吊下体１４の回転盤１４aの表面を押し付け、その摩擦力で相互の位相を位置決めするものがある。
この吊下具Ｂにバケット１を吊下した場合には、例えば屋根の雪下ろしにおいては、ジブクレーン４のブーム４aの旋回に対してバケット１の前端が軒先と平行になるように、接合体１３の渡し金１３cに対して吊下体１４の回転盤１４aの位相を変更し、両係合孔１５に係合ピン１６を挿通して位置決めすれば簡単に屋根の雪下ろしができる。
このほか、トラック６の位置が制限される敷地内での荷材の上げ下ろしにおいて、ブーム４aの姿勢制御とバケット１を吊下する各ワイヤー９、１０の捩れやバケット１の姿勢変更の自由度によってバケット１の前端の向きを大幅に選択できる。
【００１０】
バケット１の他の実施態様について説明すると、図４に示すように、横長（幅方向長尺）矩形状の底板１aに平面視コ形の所要高さの周壁板１bを一体に立設して上方と前方を開口して形成されたバケット１には、バケット１の前後方向の重心位置より後方で周壁板  １bの両側方外面において、回動吊り金具２が平板部２bで回動自在に接合され、回動吊り金具２の両上隅にはそれぞれ逆Ｕ状のワイヤー掛け金２cが折曲部２dを突出して接合され、前記重心位置を挟んで回動吊り金具２に対向して周壁板１bの前方両側方の外面には逆Ｕ状の固定吊り金具３が接合されて成る。
このバケット１の場合では、トラック６の荷台７に搭載されたジブクレーン４に対してバケット１の開口面が向けられた状態、すなわち、図４で示す姿勢の反対向きの姿勢で、吊下具５或いは吊下具Ｂから吊下される各ワイヤー９が回動吊り金具２の折曲部２dにシャックル８を介して接合され、固定吊り金具３には、ワイヤー１０で吊下されるシーブ体１１のフック１２に吊下される別途ワイヤー（図外）が接合される。
このようにしてジブクレーン４に吊下されたバケット１は、その底面を水平状態で地面すれすれにして引き込むことにより、路上の積雪の除雪に利用される。
【産業上の利用可能性】
【００１１】
本考案のジブクレーン用荷役具は、ジブクレーンを搭載したトラックを前提とするが、高所への荷材の上げ下ろしとして建設土木現場で簡便に利用できることや、降雪期の除排雪に利用できるなどで、年間を通じて需要が大いに期待できる。
【図面の簡単な説明】
【００１２】
【図１】本考案に係わるジブクレーン用荷役具Ａのワイヤーを除いた斜視図。
【図２】ジブクレーン用荷役具Ａの使用状態の説明図。
【図３】吊下具Ｂの説明図で、分図（ａ）はその正面図、分図（ｂ）は（ａ）の左側面図、分図（ｃ）は（ａ）の平面図。
【図４】バケット１の他の実施態様を示す斜視図。
【符号の説明】
【００１３】
１：バケット
１a：底板
１b：周壁板
２：前部吊り金具
２a：角パイプ
２b：平板部
２c：ワイヤー掛け金
２d：折曲部
３：後部吊り金具
４：ジブクレーン
４a：ブーム
５：吊下具
５a：ボルト孔
５b：接合金具
５c：渡し金
５d：補強金
５e：ワイヤー掛け金
５f：折曲部
６：トラック
７：荷台
８：シャックル
９、１０：ワイヤー
１１：シーブ体
１２：フック
１３：接合体
１３a：ボルト孔
１３b：接合金具
１３c：渡し金
１４：吊下体
１４a：回転盤
１４b：垂直回転軸
１４c：脚
１４d：ワイヤー掛け金
１４e：折曲部
１５：係合孔
１６：係合ピン
Ａ：ジブクレーン用荷役具
Ｂ：吊下具
【図１】
0003126037.tif 000003
【図２】
0003126037.tif 000004
【図３】
0003126037.tif 000005
【図４】
0003126037.tif 000006